(57)【要約】【課題】本発明は、入れ歯の保管に伴う気恥ずかしいトラブルを防止するとともに、洗面所等で入れ歯の取り扱いが容易、かつ衛生的に行える簡便な入れ歯洗浄除菌保管容器を提供する。【解決手段】蓋を有し、側面の把手部には、所有者識別を意図する歯ブラシ支持孔を備えたマグカップ形状の容器主体と頭部に逆Ｕ字形の係り止め部を備えた柄と籠からなる入れ歯取り出し籠の２主要部からなり、蓋及び容器主体は内部が透視不可能な素材、または有色であって、容器主体の内側下部は、洗浄除菌を効果的になすため、頂部が平坦な逆円錐形状の空隙を形成する。また入れ歯取り出し籠は、容器から取り出した際、入れ歯置き箱の機能を併有することを特徴とする。【選択図】図１
2007144086.tif 000002
【特許請求の範囲】
【請求項１】
つまみ付きの蓋を冠し、開口周縁部に入れ歯取り出し籠の係り止め部を保持する凹状切り込み部を備え、側面の把主部には所有者識別を意図する歯ブラシ支持孔を設けたマグカップ形状の容器主体と頭部に逆Ｕ字形の係り止め部を備えた柄と籠からなる入れ歯取り出し籠の２主要部からなり、蓋及び容器主体は、内部が透視不可能な素材、または有色であって、
容器主体の内側下部は、洗浄除菌を効果的になすため、頂部が平坦な逆円錐形状の空隙を形成することを特徴とする簡便な入れ歯洗浄除菌保管容器
【請求項２】
入れ歯取り出し籠は、容器から取り出した際、入れ歯の置き箱の機能を併有させるため、平坦なる籠底部に４個の台座突起を設けることをさせてなる請求項１に記載の簡便な入れ歯洗浄除菌保管容器
【発明の詳細な説明】
【技術分野】
【０００１】  本発明は、入れ歯の保管に伴う気恥ずかしいトラブルを防止するとともに、洗面所等で入れ歯の取り扱いが容易、かつ衛生的に行える簡便な入れ歯洗浄除菌保管容器に関するものである。
【背景技術】
【０００２】  一般的には、洗面所で就寝の前に、入れ歯を口から取り外して洗面器の脇に一時置き、歯磨き粉を付けた歯ブラシで磨いた後、水洗いをし、水を入れたマグカップ等に洗浄除菌錠剤を投入し、発泡しつつある溶液の中に入れ歯を入れ、就寝間浸して置くことで洗浄剤が歯垢や食べかすを分解除去するとともに除菌酵素が口内炎や口臭の原因となるカンジタ菌等を除去する。置き場は、水溶液の入ったマグカップ等であるため自室には持ち込めず、主に洗面所となる。入れ歯は、その形状等から、気持ちが悪い、汚らしいとする先入観があることから、家族の目に触れないように、また祖父、祖母の入れ歯容器であることが識別できるようにテッシュ等でマグカップ等の開口部を覆う配慮をし、遠慮がちに収納棚の端に置くこととなる。そして、翌朝は、家族が洗面所を使用していない時期をみて、箸でマグカップ等から入れ歯を摘んで取り出すが、入れ歯の形状及び重さから、時々箸から滑らして陶器でできている堅い洗面器に落とし破損することもある。ここでも、一時的に入れ歯を洗面器の脇に直に置き、水洗いをした後、装着する。
個人個人によって若干の相違はあろうが、入れ歯についてもつ羞恥心、入れ歯の扱い方は、このようなものである。
なお、ほぼ同様な構成をした入れ歯容器の発明が知られている（特許文献１）。
【特許文献１】登録実用新案第３０５７１３９号
【発明の開示】
【発明が解決しようとする課題】
【０００３】  そのために、次のような問題点があった。
（イ）洗面所で入れ歯を取り扱う際、一時的にしろ、口腔に装着する清潔であるべき入れ歯を洗面器の脇に直に置くことは、極めて不衛生である。
（ロ）箸でマグカップ等から入れ歯を摘んで取り出す行為は意外に難しいものであり、誤って落としてしまうこともは珍しくない。入れ歯の素材は、セラミックや硬質プラスチ等からなるため、落方が悪ければ破損する。なお、箸を使わない方法として、片手のひらを下にして、マグカップ等を逆さにすることで入れ歯を受け止めることはできるが、汚濁した溶液で手を濡らすことになり、これもまた不衛生である。
（ハ）洗浄は、洗浄剤の発泡する気泡を下方から直接、かつ、満遍なく受けることで、その効果が十二分に発揮されるが、投入された洗浄・除菌錠剤及び入れ歯は自由落下で底部分に沈むため、色々な姿勢で、色々な場所に位置することになる。このことから、下から上昇する気泡を受けるのは部分的となり、特に洗浄効果は減少する。
（ニ）入れ歯は、装着する本人以外には異様なものであり、保管に際して、マグカップ等の開口部をテッシュ等で覆わなければ、上部から見えてしまうことになる。また、所有者識別も兼ねるテッシュ等の覆いを忘れたならば、家族が使おうとマグカップ等を手に取ったら異様な入れ歯が入っていて、びっくりした。というようなことにもなり、家族に不愉快な思いをさせることとなる。また、この場面で、一番つらいのは所有者の老人自身である。
（ホ）ほぼ同様な構成をした入れ歯容器の発明品については、洗浄・殺菌をするためのもではなく、単に水を切って保管する容器であり、目的及び効果を異にするものである。
本考案は以上の問題点を解決しようとするものである。
【課題を解決するための手段】
【０００４】  蓋を有し、側面の把手部には所有者識別を意図する歯ブラシ立支持孔を設け、また内側底部が逆円錐形状をなす容器主体と入れ歯取り出し籠の２主要部から構成する。取り出し籠は、頭部に逆Ｕ字形の係止め部を備えた柄を持ち、洗浄除菌保管時は容器開口部に設けた凹状の切り込み部に係止め部を掛け、籠底部と容器底部の間に、籠に入った入れ歯が洗浄剤の発泡する気泡を下方から満遍なく効果的に受けるための逆円錐形状の空隙を設定する。また、取り出し籠は、容器から取り出した際に、入れ歯の置き箱の機能を併有する。なお、蓋及び容器主体は、内部が透視不可能な素材、または有色とする。
【発明の効果】
【０００５】  以上により、洗面所等での、大切な入れ歯の取り扱いが容易、かつ衛生的に、また落下させて破損させるようなことも防止でき、そして洗浄除菌がより効果的にできる。また容器の外観形状等から所有者が明確になることで、気恥ずかしいトラブルも解消され、堂々と棚に置いておくことが可能となる。このような単純な構成ではあるが、入れ歯をする老人が待望をしていた入れ歯洗浄殺菌保管容器となる。
【発明を実施するための最良の形態】
【０００６】  以下、本発明の実施の形態を図面により説明する。
図１は、容器主体から取り出し籠を取り出し、この籠が入れ歯置き箱として機能するを表現した分解透視斜視図、図２は、洗浄除菌機能断面図である。
（イ）主要構成は、つまみ付きの蓋（２）を冠し、側面に把手部（３）を有するマグカップ形状の容器主体（１）と入れ歯取り出し籠の２主要部からなる。
（ロ）容器主体（１）は、開口周縁部に入れ歯取り出し籠の係り止め部（４ｂ）を保持するための凹状切り込み部（１ａ）を備え、側部把手部（３）上部には、所有者識別を意図する歯ブラシを立てるための支持孔（３ａ）を、下部には凹形状の受け部（３ｂ）を設ける。また容器主体（１）の内側上部に錠剤溶液濃度を適切にするための水量目盛（１ｂ）を標示し、内側下部は、頂部が平坦な逆円錐形状をなす空隙（５）をなすよう形成して、投入する洗浄除菌錠剤（６）を概ね底部中央に落下位置させること及び籠（４ｆ）に入った入れ歯が、洗浄除菌錠剤（６）が発泡し、上昇する気泡を満遍なく効果的に受けられることを意図する。
（ハ）入れ歯取り出し籠は、頭部に逆Ｕ字形の係止め部（４ｂ）及び小把部（４ｃ）を備えた柄（４ａ）と容器主体と形状を同じくする底部が平坦なる籠（４ｆ）からなり、洗浄除菌保管時は容器開口部に設けた凹状の切り込み部（１ａ）に係止め部（４ｂ）に掛けることで、洗浄剤が発泡し上昇する気泡を満遍なく効果的に受けられる適切な籠（４ｆ）の高さに設定する。そして籠（４ｆ）の側面及び底部には、水切りのためのスリット（４ｄ）を多数設ける。また取り出し籠は、容器から取り出した際に、入れ歯の置き箱の機能を併有させるため、籠（４ｆ）底部に４個の台座突起（４ｅ）を設ける。
（ニ）蓋及び容器主体は、内部が透視不可能な素材または有色とする。
本発明を使用するときは、洗面所等で就寝の前に、入れ歯を口から取り外して洗面器の脇の入れ歯置き箱となった入れ歯取り出し籠内に一時置き、歯磨き粉を付けた歯ブラシで磨いた後、水洗いをし、入れ歯取り出し籠内に整置する。次いで、適量の水を入れた容器に洗浄除菌錠剤（６）を投入し、発泡しつつある溶液の中に、入れ歯取り出し籠を沈め、就寝間浸して置く。そして、翌朝は、容器から洗浄除菌がなされた入れ歯を入れた入れ歯取り出し籠を取り出し、入れ歯を水で洗浄した後、口に装着をする。
【図面の簡単な説明】
【０００７】
【図１】容器主体から取り出し籠を取り出し、この籠が入れ歯置き箱として機能するを表現した分解透視斜視図である。
【図２】洗浄除菌機能断面図である。
【符号の説明】
【０００８】１    容器主体
１ａ  凹状切り込み部
１ｂ  水量目盛
２    蓋
３    把手部
３ａ  支持孔
３ｂ  受け部
４ａ  柄
４ｂ  係り止め部
４ｃ  小把手部
４ｄ  スリット
４ｅ  台座突起
４ｆ  籠
５    空隙
６    洗浄除菌錠剤
【図１】
2007144086.tif 000003
【図２】
2007144086.tif 000004